(57)【要約】【課題】商品購入者にキャンペーンに関する情報を充分に伝えられ会員登録が容易に行える。【解決手段】携帯端末から、この携帯端末が読み取った商品のパッケージに二次元バーコードで印刷されたＵＲＬにアクセスされると、個人情報を入力させ、  仮ＩＤを発行し、仮ＩＤと、個人情報とを記録した行を会員情報テーブルに追加し、  仮ＩＤ専用のメールアドレスを生成して、仮ＩＤ専用のメールアドレスに空メールを送らせ、  会員情報テーブルの仮ＩＤを記録している行に、空メールの送り主のメールアドレスを記録し、  セッションキーを発行し、前記ＵＲＬ、仮ＩＤと合わせ登録完了ＵＲＬとし、空メールに返信する形で、登録完了ＵＲＬを載せたメールを送り、  携帯端末から、登録完了ＵＲＬにアクセスされると、セッションキーを受け取り、これが発行したセッションキーであることを確認した後に、会員情報テーブルの行に記録している仮ＩＤを本ＩＤに変更する。【選択図】図２
2010128736.tif 000002
【特許請求の範囲】
【請求項１】
ネットワークを介して携帯端末に接続され、会員情報テーブルを格納するデータベースを有するＷｅｂサーバであって、
携帯端末から、この携帯端末が読み取った商品のパッケージに二次元バーコードで印刷されたＵＲＬにアクセスされると、メールアドレスを除く個人情報を入力させる手段と、
仮ＩＤを発行し、仮ＩＤと、入力されたメールアドレスを除く個人情報とを記録した行を会員情報テーブルに追加する手段と、
仮ＩＤ専用のメールアドレスを生成し、仮ＩＤ専用のメールアドレスを携帯端末に送って仮ＩＤ専用のメールアドレスに空メールを送らせる手段と、
会員情報テーブルの仮ＩＤを記録している行に、空メールの送り主のメールアドレスを記録する手段と、
セッションキーを発行し、前記ＵＲＬ、仮ＩＤと合わせ登録完了ＵＲＬとし、空メールに返信する形で、登録完了ＵＲＬを載せたメールを送る手段と、
携帯端末から、登録完了ＵＲＬにアクセスされると、セッションキーを受け取り、受け取ったセッションキーが発行したセッションキーであることを確認した後に、会員情報テーブルの行に記録している仮ＩＤを本ＩＤに変更する手段とを備えることを特徴とするキャンペーン参加登録サーバ。
【請求項２】
ネットワークを介して携帯端末に接続され、会員情報テーブルを格納するデータベースを有するＷｅｂサーバが実行する方法であって、
携帯端末から、この携帯端末が読み取った商品のパッケージに二次元バーコードで印刷されたＵＲＬにアクセスされると、メールアドレスを除く個人情報を入力させる工程と、
仮ＩＤを発行し、仮ＩＤと、入力されたメールアドレスを除く個人情報とを記録した行を会員情報テーブルに追加する工程と、
仮ＩＤ専用のメールアドレスを生成し、仮ＩＤ専用のメールアドレスを携帯端末に送って仮ＩＤ専用のメールアドレスに空メールを送らせる工程と、
会員情報テーブルの仮ＩＤを記録している行に、空メールの送り主のメールアドレスを記録する工程と、
セッションキーを発行し、前記ＵＲＬ、仮ＩＤと合わせ登録完了ＵＲＬとし、空メールに返信する形で、登録完了ＵＲＬを載せたメールを送る工程と、
携帯端末から、登録完了ＵＲＬにアクセスされると、セッションキーを受け取り、受け取ったセッションキーが発行したセッションキーであることを確認した後に、会員情報テーブルの行に記録している仮ＩＤを本ＩＤに変更する工程とを含むことを特徴とするキャンペーン参加登録方法。
【請求項３】
ネットワークを介して携帯端末に接続され、会員情報テーブルを格納するデータベースを有するＷｅｂサーバに、
携帯端末から、この携帯端末が読み取った商品のパッケージに二次元バーコードで印刷されたＵＲＬにアクセスされると、メールアドレスを除く個人情報を入力させる工程と、
仮ＩＤを発行し、仮ＩＤと、入力されたメールアドレスを除く個人情報とを記録した行を会員情報テーブルに追加する工程と、
仮ＩＤ専用のメールアドレスを生成し、仮ＩＤ専用のメールアドレスを携帯端末に送って仮ＩＤ専用のメールアドレスに空メールを送らせる工程と、
会員情報テーブルの仮ＩＤを記録している行に、空メールの送り主のメールアドレスを記録する工程と、
セッションキーを発行し、前記ＵＲＬ、仮ＩＤと合わせ登録完了ＵＲＬとし、空メールに返信する形で、登録完了ＵＲＬを載せたメールを送る工程と、
携帯端末から、登録完了ＵＲＬにアクセスされると、セッションキーを受け取り、受け取ったセッションキーが発行したセッションキーであることを確認した後に、会員情報テ
ーブルの行に記録している仮ＩＤを本ＩＤに変更する工程とを実行させることを特徴とするキャンペーン参加登録プログラム。
【発明の詳細な説明】
【技術分野】
【０００１】
本発明は、キャンペーンに参加するための会員登録の技術に関する。
【背景技術】
【０００２】
従来から、図１に示すように、商品のパッケージに、少なくとも、この商品のシリアルナンバーとサーバのメールアドレスとを、ＱＲコード等の二次元バーコードで予め印刷しておき、商品購入者が、カメラ付携帯電話機等の携帯端末にて、商品の二次元バーコードを読み取り、メーラーを立ち上げて、この商品のシリアルナンバーを電子メールでサーバに送ってから会員登録を行い、ポイントを蓄積し、賞品の抽選に応募するクローズ型Ｗｅｂキャンペーンが知られている（例えば特許文献１参照）。
【０００３】
この従来のクローズ型Ｗｅｂキャンペーンは、商品のシリアルナンバーを電子メールでサーバに送ってから会員登録を行うため、その手順が煩雑であるだけでなく、キャンペーンに参加する前の消費者へのアナウンスは、パッケージの表示や告知物から得られる情報のみであり、対象商品によっては告知スペースの問題により、ほとんどキャンペーンに関する情報を伝えられないままに参加を促すことになるという欠点がある。
【特許文献１】特開２００６−３３１３８２号公報
【発明の開示】
【発明が解決しようとする課題】
【０００４】
本発明は斯かる背景技術の欠点に鑑みてなされたもので、商品購入者にキャンペーンに関する情報を充分に伝えられ会員登録が容易に行えるようにすることを課題とする。
【課題を解決するための手段】
【０００５】
本発明において上記課題を解決するために、まず請求項１の発明では、ネットワークを介して携帯端末に接続され、会員情報テーブルを格納するデータベースを有するＷｅｂサーバであって、
携帯端末から、この携帯端末が読み取った商品のパッケージに二次元バーコードで印刷されたＵＲＬにアクセスされると、メールアドレスを除く個人情報を入力させる手段と、
仮ＩＤを発行し、仮ＩＤと、入力されたメールアドレスを除く個人情報とを記録した行を会員情報テーブルに追加する手段と、
仮ＩＤ専用のメールアドレスを生成し、仮ＩＤ専用のメールアドレスを携帯端末に送って仮ＩＤ専用のメールアドレスに空メールを送らせる手段と、
会員情報テーブルの仮ＩＤを記録している行に、空メールの送り主のメールアドレスを記録する手段と、
セッションキーを発行し、前記ＵＲＬ、仮ＩＤと合わせ登録完了ＵＲＬとし、空メールに返信する形で、登録完了ＵＲＬを載せたメールを送る手段と、
携帯端末から、登録完了ＵＲＬにアクセスされると、セッションキーを受け取り、受け取ったセッションキーが発行したセッションキーであることを確認した後に、会員情報テーブルの行に記録している仮ＩＤを本ＩＤに変更する手段とを備えることを特徴とするキャンペーン参加登録サーバとしたものである。
【０００６】
また請求項２の発明では、ネットワークを介して携帯端末に接続され、会員情報テーブルを格納するデータベースを有するＷｅｂサーバが実行する方法であって、
携帯端末から、この携帯端末が読み取った商品のパッケージに二次元バーコードで印刷されたＵＲＬにアクセスされると、メールアドレスを除く個人情報を入力させる工程と、
仮ＩＤを発行し、仮ＩＤと、入力されたメールアドレスを除く個人情報とを記録した行を会員情報テーブルに追加する工程と、
仮ＩＤ専用のメールアドレスを生成し、仮ＩＤ専用のメールアドレスを携帯端末に送って仮ＩＤ専用のメールアドレスに空メールを送らせる工程と、
会員情報テーブルの仮ＩＤを記録している行に、空メールの送り主のメールアドレスを記録する工程と、
セッションキーを発行し、前記ＵＲＬ、仮ＩＤと合わせ登録完了ＵＲＬとし、空メールに返信する形で、登録完了ＵＲＬを載せたメールを送る工程と、
携帯端末から、登録完了ＵＲＬにアクセスされると、セッションキーを受け取り、受け取ったセッションキーが発行したセッションキーであることを確認した後に、会員情報テーブルの行に記録している仮ＩＤを本ＩＤに変更する工程とを含むことを特徴とするキャンペーン参加登録方法としたものである。
【０００７】
また請求項３の発明では、ネットワークを介して携帯端末に接続され、会員情報テーブルを格納するデータベースを有するＷｅｂサーバに、
携帯端末から、この携帯端末が読み取った商品のパッケージに二次元バーコードで印刷されたＵＲＬにアクセスされると、メールアドレスを除く個人情報を入力させる工程と、
仮ＩＤを発行し、仮ＩＤと、入力されたメールアドレスを除く個人情報とを記録した行を会員情報テーブルに追加する工程と、
仮ＩＤ専用のメールアドレスを生成し、仮ＩＤ専用のメールアドレスを携帯端末に送って仮ＩＤ専用のメールアドレスに空メールを送らせる工程と、
会員情報テーブルの仮ＩＤを記録している行に、空メールの送り主のメールアドレスを記録する工程と、
セッションキーを発行し、前記ＵＲＬ、仮ＩＤと合わせ登録完了ＵＲＬとし、空メールに返信する形で、登録完了ＵＲＬを載せたメールを送る工程と、
携帯端末から、登録完了ＵＲＬにアクセスされると、セッションキーを受け取り、受け取ったセッションキーが発行したセッションキーであることを確認した後に、会員情報テーブルの行に記録している仮ＩＤを本ＩＤに変更する工程とを実行させることを特徴とするキャンペーン参加登録プログラムとしたものである。
【発明の効果】
【０００８】
本発明では、商品購入者は、キャンペーンに応募するための会員登録を行うに際して、まず、商品のパッケージに二次元バーコードで印刷されたＵＲＬで示されるサイトにアクセスすることになるので、このサイトでキャンペーンの十分なアピール・アナウンスが行えるという効果がある。
【０００９】
また本発明では、メールアドレスを除く個人情報の入力、空メール送信という、商品購入者が行うべき煩雑な操作を連続させることで、スムースな登録フローを提供できるという効果がある。
【００１０】
従って、本発明は、商品購入者にキャンペーンに関する情報を充分に伝えられ会員登録が容易に行えるという効果がある。
【発明を実施するための最良の形態】
【００１１】
以下に、本発明の最良の一実施形態を説明する。
【００１２】
本発明に係るシステムは、図２に示すように、カメラ付携帯電話機等の携帯端末と、会員情報テーブルを格納するデータベースを有するＷｅｂサーバとを備え、これら携帯端末とサーバとが。携帯電話網やインターネット等のネットワークに接続されるものである。
【００１３】
Ｗｅｂサーバで運営しているサイトのＵＲＬが、商品のパッケージにＱＲコード等の二次元バーコードで印刷されている。このサイトには、商品購入者に会員登録に必要な、氏名、年齢、性別などの個人情報を入力させる入力フォームが含まれる。
【００１４】
会員情報テーブルは、図３に示すように、一人の商品購入者に係る情報を、項目に分けて、項目の値として、一つの行に記録する表である。項目には、図３に示すように、例えば、ＩＤ、仮フラグ、氏名、年齢、性別、…、メールアドレス、セッションキー、登録日時がある。
【００１５】
ＩＤは、商品購入者を唯一に識別する符号である。このＩＤは、この商品購入者が会員登録の手続き中で会員になる前には仮ＩＤとも呼ばれ、この商品購入者が会員登録の手続きが完了して会員になった後には本ＩＤとも呼ばれる。
【００１６】
仮フラグは、ＩＤが、仮ＩＤであるか、本ＩＤであるかを、ＯＦＦ、ＯＮの２つの値で区別するフラグである。すなわち、仮フラグがＯＦＦであれば、ＩＤが仮ＩＤであり、仮フラグがＯＮであれば、ＩＤが本ＩＤである。
【００１７】
氏名、年齢、性別、…は、会員登録に必要として、入力フォームに入力させた商品購入者の個人情報である。
【００１８】
メールアドレスは、商品購入者のメールアドレスである。
【００１９】
セッションキーは、ランダムに生成された１０数桁の文字列であって、仮ＩＤと一緒にに、会員登録手続中の商品購入者を認証するのに用いられるものである。
【００２０】
登録日時は、商品購入者の情報を記録した行を会員情報テーブルに追加して、この情報をデータベースに登録した日時である。
【００２１】
以下のＳＴＥＰ１〜９の順に、本発明に係るシステムを利用してを行われる会員登録に係る手続の流れを説明する。
【００２２】
ＳＴＥＰ１；
商品購入者は、携帯端末にて、商品のパッケージに印刷されている二次元バーコードを読み取り、この二次元バーコードで表されているＵＲＬでサイトにアクセスする。
【００２３】
ＳＴＥＰ２；
商品購入者は、携帯端末にて、サイトの入力フォームに、会員登録に必要な、氏名、年齢、性別などの個人情報を入力する。
【００２４】
ＳＴＥＰ３；
Ｗｅｂサーバは、入力フォームから会員登録に必要な個人情報を取得し、ここでＩＤを生成する。
【００２５】
ＳＴＥＰ４；
Ｗｅｂサーバは、生成したＩＤと、このＩＤが仮ＩＤであることを意味するＯＦＦの仮フラグと、取得した会員登録に必要な個人情報と、登録日時として現在の日時とを記録し、メールアドレルとセッションキーとが空白である行を、会員情報テーブルに追加することで、データベースに、生成したＩＤと、このＩＤが仮ＩＤであることを意味するＯＦＦの仮フラグと、取得した会員登録に必要な個人情報と、登録日時として現在の日時とを登録する。
【００２６】
ＳＴＥＰ５；
Ｗｅｂサーバは、ＩＤ＠［ドメイン名］などＩＤ専用のメールアドレスを生成し、このＩＤ専用のメールアドレスを携帯端末に送り、携帯端末に、このＩＤ専用のメールアドレスへ空メールを送らせる。
【００２７】
ＳＴＥＰ６；
ＩＤ専用のメールアドレスに空メールが送られると、Ｗｅｂサーバは、空メールの送り主を、このＩＤで識別される商品購入者として、空メールのＦｒｏｍからメールアドレスを取得し、会員情報テーブルにおいて、このＩＤを記録している行に、取得したメールアドレスを追加記録する。
【００２８】
ＳＴＥＰ７；
Ｗｅｂサーバは、セッションキーを発行し、サイトのＵＲＬ、ＩＤと合わせ「登録完了ＵＲＬ」とし、会員情報テーブルにおいて、このＩＤを記録している行に、発行したセッションキーを追加記録する。
【００２９】
ＳＴＥＰ８；
Ｗｅｂサーバは、空メールに対して返信する形で、登録完了ＵＲＬを載せたメールを送る。
【００３０】
ＳＴＥＰ９；
商品購入者が、携帯端末にて、登録完了ＵＲＬを載せたメールを受信して、この登録完了ＵＲＬでサイトにアクセスすると、Ｗｅｂサーバは、この登録完了ＵＲＬからＩＤとセッションキーとを受け取り、会員情報テーブルにおいて、このＩＤを記録している行に、受け取ったセッションキーが記録されていることを確認した後、この行の仮プラグを、このＩＤが仮ＩＤであることを意味するＯＦＦから、このＩＤが本ＩＤであることを意味するＯＮに変更する。
【００３１】
尚、Ｗｅｂサーバは、登録日時から一定時間経過したのに仮フラグがＯＦＦのままである行を、会員情報テーブルから削除する。
【図面の簡単な説明】
【００３２】
【図１】パッケージに二次元バーコードが印刷された商品の例を示す図。
【図２】本発明に係るシステムの全体構成例を示す図。
【図３】会員情報テーブルの例を示す図。
【図１】
2010128736.tif 000003
【図２】
2010128736.tif 000004
【図３】
2010128736.tif 000005